(57)【特許請求の範囲】
【請求項１】
板状の紙の層からなる主部と、
前記主部に内包された非接触通信を行なうための電子部品とを備え、
前記電子部品は、
非接触通信に係る無線信号を送受信するためのアンテナと、
前記主部に表記されているキャラクタに対応付けられたデータを格納し、さらなるデータの書き込みが制約されている第一記憶領域と、前記制約が設けられていない第二記憶領域とを含む記憶部と、
非接触通信によって外部装置から受信したデータを前記第二記憶領域に書き込む回路とを含み、
前記主部の一方面には、複数のキャラクタのうちいずれかのキャラクタと、前記キャラクタに関連付けられる情報と、遊びのための情報とが表記されており、
前記主部の他方面には、前記アンテナの配置された位置に、前記アンテナの位置を示すマークが表記されており、
前記キャラクタに対応付けられたデータは、前記キャラクタを特定するための識別情報と、前記キャラクタが利用可能なアプリケーションまたは前記キャラクタが利用可能なアプリケーションのシリーズを示す識別情報とを含む、トレーディングカード。
【請求項２】
少なくとも一方面に、複数のキャラクタのうちいずれかのキャラクタが表記されている主部と、
前記主部に内包された非接触通信を行なうための電子部品とを備え、
前記電子部品は、
前記主部に表記されているキャラクタに対応付けられたデータを格納する記憶部と、
非接触通信によって外部装置から受信したデータを前記記憶部に書き込む回路とを含み、
前記記憶部には、
前記外部装置から非接触通信により読み出されると、前記主部に表記されているキャラクタを特定するためのキャラクタＩＤと、
前記キャラクタに関するアプリケーションのシリーズを示すシリーズＩＤと、が格納されている、トレーディングカード。
【請求項３】
前記キャラクタとともに、前記キャラクタを特定するための識別情報が表記されている、請求項２に記載のトレーディングカード。
【請求項４】
前記キャラクタとともに、遊びのための情報が表記されている、請求項２または３に記載のトレーディングカード。
【請求項５】
前記電子部品は、前記電子部品に固有の識別情報を含む、請求項２〜４のいずれか１項に記載のトレーディングカード。
【請求項６】
前記記憶部は、さらなるデータの書き込みが制約されている第一記憶領域と、前記制約が設けられていない第二記憶領域とを含む、請求項２〜５のいずれか１項に記載のトレーディングカード。
【請求項７】
前記第一記憶領域は、データの書き込みが制約されているが、データの読み出しが可能な読出専用領域であって、
前記第二記憶領域は、データの書き込み及び読み出しが可能な書込可能領域である、請求項６に記載のトレーディングカード。
【請求項８】
前記第一記憶領域にはキャラクタＩＤが保存されている、請求項７に記載のトレーディングカード。
【請求項９】
前記電子部品は、非接触通信に係る無線信号を送受信するためのアンテナをさらに含み、
前記主部の前記キャラクタが表記されている面とは異なる面上であって、前記アンテナの配置された位置に、前記アンテナの位置を示すマークが表記されている、請求項２〜８のいずれか１項に記載のトレーディングカード。
【請求項１０】
前記マークは、前記主部の前記キャラクタが表記されている面とは異なる面に形成された所定形状のアルミ層の少なくとも一部と、前記アルミ層の上に形成されたロゴマークとを含む、請求項９に記載のトレーディングカード。
【請求項１１】
前記アンテナは、前記主部の主面の中央部からずれた位置に配置される、請求項９または１０に記載のトレーディングカード。
【請求項１２】
前記アンテナの全体が前記トレーディングカードの長手方向中心線よりも上方または下方にある、請求項９〜１１のいずれか１項に記載のトレーディングカード。
【請求項１３】
前記主部の少なくとも一部は、紙の層で構成される、請求項１〜１２のいずれか１項に記載のトレーディングカード。
【請求項１４】
前記キャラクタが表記されている面上には、光沢加工が施されている、請求項２〜１３のいずれか１項に記載のトレーディングカード。
【請求項１５】
前記光沢加工として、前記キャラクタが表記されている面上に形成された樹脂材料に対する部分的または全体的な加工が施される、請求項１４に記載のトレーディングカード。
【請求項１６】
請求項２〜１５のいずれか１項に記載のトレーディングカードを複数含み、
前記複数のトレーディングカードの少なくとも２枚以上は互いに異なるキャラクタが表記されている、トレーディングカードセット。
【請求項１７】
請求項２〜１６のいずれか１項に記載のトレーディングカードの少なくとも１つと、
前記少なくとも１つのトレーディングカードをその内部に収納する袋部と、
前記非接触通信に係る電磁波を低減し、前記袋部の内部に収納されたトレーディングカードに内包された前記電子部品による非接触通信が行なわれることを妨げるシールド手段とを備える、トレーディングカードセット。
【請求項１８】
前記シールド手段として、前記少なくとも１つのトレーディングカードの主面の垂直方向に沿って並べて配置され、表面に導電性部材が設けられた板状部材を備える、請求項１７に記載のトレーディングカードセット。
【請求項１９】
前記シールド手段として、前記トレーディングカードとともに前記袋部の内部に収納され、金属層を有するカードを備える、請求項１７に記載のトレーディングカードセット。
【請求項２０】
前記シールド手段として、前記袋部の内面に設けられた金属層を備える、請求項１７に記載のトレーディングカードセット。
【発明の詳細な説明】
【技術分野】
【０００１】
本発明は、キャラクタが表記されているトレーディングカード、およびそのトレーディングカードを含むトレーディングカードセットに関する。
【背景技術】
【０００２】
従来から、電子商取引において、非接触通信機能を有するカード利用されている。特開２０１０−０４９４７７号公報（特許文献１）に開示される非接触型ＩＣカードは、電子マネーで料金を支払う際や、電車やバスなどの交通機関を利用する際などに用いられる。
【先行技術文献】
【特許文献】
【０００３】
【特許文献１】特開２０１０−０４９４７７号公報
【発明の概要】
【発明が解決しようとする課題】
【０００４】
一般に電子商取引で使用されるカード（単一種）とは異なる意味のカードとして、トレーディングカード（trading card/collectable card）がある。トレーディングカードは、さまざまに異なる絵柄が描かれたカードであって、収集したり交換したりすることが目的とされる。つまり、トレーディングカードは、その表面に描かれた絵柄の交換または収集を意図して、製造販売されるカードである。
【０００５】
従来のトレーディングカードは、主として観賞用であり、その表面に描かれた絵柄そのものに重点が置かれていた。これに対して、本発明は、トレーディングカードに新たな観点からの付加価値（趣向性等）を与えることを目的とする。
【課題を解決するための手段】
【０００６】
ある実施の形態に従うトレーディングカードは、板状の紙の層からなる主部と、主部に内包された非接触通信を行なうための電子部品とを含む。電子部品は、非接触通信に係る無線信号を送受信するためのアンテナと、主部に表記されているキャラクタに対応付けられたデータを格納し、さらなるデータの書き込みが制約されている第一記憶領域と、制約が設けられていない第二記憶領域とを含む記憶部と、非接触通信によって外部装置から受信したデータを第二記憶領域に書き込む回路とを含む。主部の一方面には、複数のキャラクタのうちいずれかのキャラクタと、キャラクタに関連付けられる情報と、遊びのための情報とが表記されている。主部の他方面には、アンテナの配置された位置に、アンテナの位置を示すマークが表記されている。キャラクタに対応付けられたデータは、キャラクタを特定するための識別情報と、キャラクタが利用可能なアプリケーションまたはキャラクタが利用可能なアプリケーションのシリーズを示す識別情報とを含む。
【０００７】
別の実施の形態に従うトレーディングカードは、少なくとも一方面に、複数のキャラクタのうちいずれかのキャラクタが表記されている主部と、主部に内包された非接触通信を行なうための電子部品とを含む。電子部品は、主部に表記されているキャラクタに対応付けられたデータを格納する記憶部と、非接触通信によって外部装置から受信したデータを記憶部に書き込む回路とを含む。
【０００８】
キャラクタとともに、キャラクタを特定するための識別情報が表記されていてもよい。
キャラクタとともに、誤認識検知用の情報が表現されてもよい。
【０００９】
キャラクタとともに、遊びのための情報が表記されてもよい。
主部に表記されているキャラクタに対応付けられたデータは、キャラクタを特定するための識別情報を含んでもよい。
【００１０】
主部に表記されているキャラクタに対応付けられたデータは、キャラクタが利用可能なアプリケーションまたはキャラクタが利用可能なアプリケーションのシリーズを示す識別情報を含んでもよい。
【００１１】
電子部品は、電子部品に固有の識別情報を含でもよい。
記憶部は、さらなるデータの書き込みが制約されている第一記憶領域と、制約が設けられていない第二記憶領域とを含んでもよい。
【００１２】
第一記憶領域は、データの書き込みが制約されているが、データの読み出しが可能な読出専用領域であってもよく、前記第二記憶領域は、データの書き込みおよび読み出しが可能な書込可能領域でもよい。
【００１３】
第一記憶領域にはキャラクタＩＤが保存されてもよい。
電子部品は、非接触通信に係る無線信号を送受信するためのアンテナをさらに含んでもよく、主部のキャラクタが表記されている面とは異なる面上であって、アンテナの配置された位置に、アンテナの位置を示すマークが表記されていてもよい。
【００１４】
マークは、主部のキャラクタが表記されている面とは異なる面に形成された所定形状のアルミ層の少なくとも一部と、アルミ層の上に形成されたロゴマークとを含んでいてもよい。
【００１５】
アンテナは、主部の主面の中央部からずれた位置に配置されてもよい。
アンテナの全体がトレーディングカードの長手方向中心線よりも上方または下方にあってもよい。
【００１６】
主部の少なくとも一部は、紙の層で構成されてもよい。
キャラクタが表記されている面上には、光沢加工が施されてもよい。
【００１７】
光沢加工として、キャラクタが表記されている面上に形成された樹脂材料に対する部分的または全体的な加工が施されていてもよい。
【００１８】
別の実施の形態に従うトレーディングカードセットは、上述のいずれかに記載のトレーディングカードを複数含む。複数のトレーディングカードの各々には、少なくとも一部が互いに異なるキャラクタが表記されてもよい。
【００１９】
別の実施の形態に従うトレーディングカードセットは、上述のいずれかのトレーディングカードの少なくとも１つと、少なくとも１つのトレーディングカードをその内部に収納する袋部と、非接触通信に係る電磁波を低減し、袋部の内部に収納されたトレーディングカードに内包された電子部品による非接触通信が行なわれることを妨げるシールド手段とを含でいてもよい。
【００２０】
シールド手段は、少なくとも２枚はトレーディングカードの主面の垂直方向に沿って並べて配置され、その表面に導電性部材が設けられた板状部材を含んでいてもよい。
【００２１】
シールド手段は、トレーディングカードとともに袋部の内部に収納され、金属層を有するカードであってもよい。
【００２２】
シールド手段は、袋部の内面に設けられた金属層であってもよい。
【発明の効果】
【００２３】
本実施の形態は、トレーディングカードに新たな観点からの付加価値を与えることができるとともに、トレーディングカードの趣向性を高めることができる。
【図面の簡単な説明】
【００２４】
【図１】本実施の形態に従うトレーディングカードの一例を示す模式図である。
【図２】本実施の形態に従うトレーディングカードのうら面の構成例を示す模式図である。
【図３】図２に示すＡ−Ａ線に対応するトレーディングカードの断面図を示す模式図である。
【図４】本実施の形態に従うトレーディングカードにおけるＲＦＩＤインレイの配置例を示す模式図である。
【図５】本実施の形態に従うトレーディングカードの使用形態の一例を示す模式図である。
【図６】本実施の形態に従うトレーディングカードに内包されたＲＦＩＤインレイの回路構成を示す模式図である。
【図７】図６に示す制御回路に内蔵される記憶部のデータ構造の一例を示す模式図である。
【図８】本実施の形態に従うトレーディングカードに対する不正な読み取りを防止する機能の第１の実装例を示す模式図である。
【図９】本実施の形態に従うトレーディングカードに対する不正な読み取りを防止する機能の第２の実装例を示す模式図である。
【図１０】図９に示すパッケージの断面模式図である。
【図１１】本実施の形態に従うトレーディングカードに対する不正な読み取りを防止する機能の第３の実装例を示す模式図である。
【図１２】本実施の形態に従うトレーディングカードの製造工程の一例を示す模式図である。
【発明を実施するための形態】
【００２５】
本実施の形態について、図面を参照しながら詳細に説明する。なお、図中の同一または相当部分については、同一符号を付してその説明は繰り返さない。
【００２６】
［Ａ．トレーディングカードのおもて面］
まず、本実施の形態に従うトレーディングカードについて説明する。図１は、本実施の形態に従うトレーディングカードの一例を示す模式図である。図１には、３つのトレーディングカード１００Ａ，１００Ｂ，１００Ｃ（以下、「トレーディングカード１００」とも総称する。）のおもて面を模式的に示す。本明細書においては、説明の便宜上、主たる絵柄が描かれている面を「おもて面」とし、「おもて面」の反対側の面を「うら面」と称す。
【００２７】
トレーディングカード１００は、少なくとも一方面に、複数のキャラクタのうちいずれかのキャラクタが表記されている板状の主部を含む。より具体的には、トレーディングカード１００Ａでは、おもて面に相当する第１表面部材１０１Ａ上に、キャラクタ１０２Ａが描かれている。トレーディングカード１００Ｂでは、おもて面に相当する第１表面部材１０１Ｂ上に、キャラクタ１０２Ｂが描かれている。トレーディングカード１００Ｃでは、おもて面に相当する第１表面部材１０１Ｃ上に、キャラクタ１０２Ｃが描かれている。すなわち、本実施の形態に従うトレーディングカード１００では、その価値を生じる絵柄として、キャラクタ１０２Ａ〜１０２Ｃ（以下、「キャラクタ１０２」とも総称する。）が表記されている。キャラクタ１０２Ａ，１０２Ｂ，１０２Ｃにそれぞれ対応させて、キャラクタ１０２Ａ，１０２Ｂ，１０２Ｃのキャラクタ名１０４Ａ，１０４Ｂ，１０４Ｃも描かれている。
【００２８】
実際には、図１に例示される３つのキャラクタだけではなく、より多くのキャラクタが用意されている。そして、複数のキャラクタのそれぞれに対して予め設定された出現確率（発生割合）に従って印刷されて、トレーディングカード１００として製造される。ここで、それぞれのキャラクタに予め設定される出現確率は、互いに同一ではなく、各キャラクタに設定される個性（性格、特徴、ストーリー上の位置付けなど）などを考慮して、それぞれ設定される。例えば、複数のキャラクタのうち、特定のキャラクタについては、トレーディングカード１００への出現確率を他のキャラクタに比較して大幅に低くするようなことも可能である。このように出現確率が低い、すなわち製造数が少ないキャラクタが描かれたトレーディングカード１００は、「プレミアムカード」、「レアカード」、「お宝カード」などと称されて、他のトレーディングカード１００に比較してより高い価格で取引されることもある。
【００２９】
例えば、図１に示されるトレーディングカード１００Ａ〜１００Ｃのうち、トレーディングカード１００Ｃに描かれるキャラクタ１０２Ｃの出現確率が低いとする。すなわち、トレーディングカード１００Ｃは、プレミアムカードであり、このようなプレミアムカードに対しては、その表面がキラキラするような加工（光沢加工１２０）が施してある。このような光沢加工１２０をその表面に施すことによって、トレーディングカード１００を手にするユーザに対して、「プレミアム」感を与えることができる。
【００３０】
このような光沢加工１２０は、各種の方法を用いて実現すればよく、本実施の形態においては、第１表面部材１０１上にニスを塗布するとともに、一部のニスの厚みを薄くし、部分的に屈折率を異ならせることで、キラキラ感を実現するラメ加工を採用する。すなわち、複数のキャラクタ１０２のうち特定のキャラクタ１０２が表記されている第１表面部材１０１では、キャラクタ１０２が表記されている面上に形成された樹脂材料に対する部分的または全体的な加工が施されることによって、反射率が異ならせてあり、これによって、光沢加工１２０を実現する。但し、このような光沢加工の別の方法として、（非接触通信が阻害されない範囲において、）微小な金属片等の反射材を第１表面部材１０１上に塗布し、光を乱反射させて光沢（キラキラ感）を実現したり、また、いわゆるホログラム印刷を第１表面部材１０１上に施したりする方法も考えられる。これらの光沢加工により、いわゆるプレミア感（希少性）をユーザに与えることや観賞性を高めることができ、ユーザ間でのカードの交換・収集を促すことができる。
【００３１】
さらに、トレーディングカード１００のおもて面には、キャラクタ１０２に加えて、キャラクタ番号１０６Ａ〜１０６Ｃと、サイコロ絵柄１０８Ａ〜１０８Ｃと、ジャンケン絵柄１１０Ａ〜１１０Ｃとが描かれている。さらに、トレーディングカード１００のおもて面の下部には、キャラクタ特定情報１１２Ａ〜１１２Ｃも描かれている。
【００３２】
キャラクタ番号１０６Ａ〜１０６Ｃおよびキャラクタ特定情報１１２Ａ〜１１２Ｃは、対応するキャラクタ１０２Ａ〜１０２Ｃをそれぞれ特定するための情報である。逆に言えば、キャラクタ番号１０６Ａ〜１０６Ｃまたはキャラクタ特定情報１１２Ａ〜１１２Ｃの番号を指定すれば、対応するキャラクタ１０２を一意に特定できる。すなわち、トレーディングカード１００のおもて面には、キャラクタ１０２とともに、キャラクタ１０２に関連付けられる情報（キャラクタ番号１０６Ａ〜１０６Ｃおよびキャラクタ特定情報１１２Ａ〜１１２Ｃ）が表記されている。すなわち、トレーディングカード１００のおもて面には、キャラクタ１０２とともに、キャラクタ１０２を特定するための識別情報が表記されている。あるいは、トレーディングカード１００のおもて面には、キャラクタ１０２とともに、誤認識検知用の情報が表現されている。キャラクタ特定情報１１２Ａ〜１１２Ｃのより詳細な内容および用途については、後述する。
【００３３】
一方、サイコロ絵柄１０８Ａ〜１０８Ｃは、複数のトレーディングカード１００を用いて、複数人で何らかのゲームを行なうといった用途に用いることができる。また、ジャンケン絵柄１１０Ａ〜１１０Ｃについても同様に、複数のトレーディングカード１００を用いて、複数人でジャンケンを行なうといった用途に用いることができる。すなわち、トレーディングカード１００のおもて面には、キャラクタ１０２とともに、遊びのための情報（サイコロ絵柄１０８Ａ〜１０８Ｃおよびジャンケン絵柄１１０Ａ〜１１０Ｃ）が表記されている。
【００３４】
このような遊びのための情報としては、各キャラクタ１０２の体力ゲージ値や攻撃／防御力値などを用いてもよい。
【００３５】
［Ｂ．非接触通信機能］
本実施の形態に従うトレーディングカード１００は、非接触通信機能が実装されている。この非接触通信機能により、トレーディングカード１００に新たな観点からの付加価値が与えられる。本実施の形態においては、非接触通信の一例として、トレーディングカード１００とＮＦＣリーダライタとの間でいわゆるＮＦＣ（Near field communication）規格に基づく通信が行なわれる場合を例として説明する。本明細書において、非接触通信とは、一例としてＮＦＣリーダライタにある一方の装置からの電波（例えば、電磁誘導）によって、トレーディングカード１００側にある他方の装置に起電力を発生させる通信方式を指す。トレーディングカード１００側にある装置は、発生した起電力によって動作することが可能である（基本的には、電源を有していないが、電源を有する場合も想定し得る）。
【００３６】
非接触通信においては、トレーディングカード１００とＮＦＣリーダライタとが接近した場合（典型的には両者の距離が数センチ以下または数十センチ以下となった場合）に通信可能となる。また、非接触通信では、両者間の通信が確立している間（ＮＦＣリーダライタに何らかのトレーディングカード１００が接近している間）は電波が送出され続ける。なお、一例として電波によって通信する方式について説明したが特にこれに限られず光でもよいし、他の媒体を用いた通信でもよくその方式については何ら限定しない。
【００３７】
この非接触通信を行なうための構成は、トレーディングカード１００の内部に配置されている。すなわち、非接触通信を行なうための電子部品は、トレーディングカード１００の主部に内包されている。
【００３８】
非接触通信を実装することで、トレーディングカード１００をＮＦＣリーダライタにかざすことで、トレーディングカード１００に格納されている情報を読み出すことができるとともに、トレーディングカード１００に格納されている情報を更新する（あるいは、新たな情報を書き込む）ことができる。
【００３９】
より具体的には、トレーディングカード１００の内部には、主部に表記されているキャラクタ１０２に対応付けられたデータを格納する記憶部と、非接触通信によって外部装置から受信したデータを記憶部に書き込む回路とを含む。一実装例として、記憶部および書き込む回路を含む電子部品は、ＲＦＩＤ（Radio Frequency IDentification）インレイの形で、トレーディングカード１００の内部に配置される。以下、電子部品の構成について、トレーディングカード１００のうら面と関連付けて説明する。
【００４０】
［Ｃ．トレーディングカードのうら面］
図２は、本実施の形態に従うトレーディングカード１００のうら面の構成例を示す模式図である。図２を参照して、トレーディングカード１００のうら面に相当する第２表面部材１０３上に、非接触通信に用いられるアンテナの位置を示す提示絵柄１３０が描かれる。すなわち、キャラクタ１０２が表記されている面（おもて面）とは異なる面（うら面）上であって、アンテナの配置された位置に、アンテナの位置を示すマーク（提示絵柄１３０）が表記されている。当該マークの存在により、ユーザは、非接触通信を行なうためにトレーディングカード１００のどの部分をＮＦＣリーダライタに近接させるべきか、一目で理解することができるようになり、カードを用いて非接触通信を行なう際の利便性が向上する。また、キャラクタ１０２が表記されている面とは異なる面に当該マークを付すことにより、描かれたキャラクタのデザイン性を損なうことなく、アンテナの位置を確認することができるようになる（ひいては、趣向性も向上する。）。
【００４１】
なお、図２には、トレーディングカード１００のおもて面に描かれるキャラクタ１０２に依存することなく、うら面のデザインが共通化された例を示すがこれに限られない。すなわち、うら面にも、それぞれ異なった絵柄やデザインを施してもよく、例えば、おもて面に描かれているキャラクタ１０２に関連付けた絵柄やデザインを施してもよい。
【００４２】
より具体的には、提示絵柄１３０は、アルミ層１３２と、アルミ層１３２上に形成された印刷層１３４とからなる。
【００４３】
図３は、図２に示すＡ−Ａ線に対応するトレーディングカード１００の断面図を示す模式図である。図３に示される各層の厚みは、必ずしも実際の値に対応するものではなく、説明の便宜上、実際の厚みより厚くなるようにあるいは薄くなるように描画されている。一例として、トレーディングカード１００全体の厚みは、０．３ｍｍ〜１．０ｍｍ程度に設計される。
【００４４】
図３を参照して、トレーディングカード１００は、主部として、おもて面に対応する第１表面部材１０１と、うら面に対応する第２表面部材１０３とを含む。つまり、トレーディングカード１００の主部は、実質的に、第１表面部材１０１および第２表面部材１０３に相当する。第１表面部材１０１および第２表面部材１０３は、その表面に対して各種のデザインを施すために、印刷用紙を用いることができる。すなわち、トレーディングカード１００の主部の少なくとも一部は、紙の層で構成される。
【００４５】
第１表面部材１０１と第２表面部材１０３との間には、ＲＦＩＤインレイ１４０が配置される。ＲＦＩＤインレイ１４０は、非接触通信に必要な回路およびアンテナを一体化した電子部品である。より具体的には、ＲＦＩＤインレイ１４０は、主として、緩衝用フィルム１４２と、アンテナ１４４と、ＩＣチップ１４６とを含む。
【００４６】
緩衝用フィルム１４２は、耐荷重に応じた樹脂が用いられるが、例えば、ＰＥＴ（polyethylene terephthalate）樹脂を用いてもよい。アンテナ１４４は、非接触通信に係る無線信号を送受信する。より具体的には、アンテナ１４４は、緩衝用フィルム１４２の面に沿って多数回に亘って巻かれた導線からなり、ＩＣチップ１４６と電気的に接続される。ＩＣチップ１４６は、後述するように、主として、アンテナ１４４を介した電波（コマンドを含む）の受信、およびアンテナ１４４からの電波（コマンドレスポンスを含む）の送信を行なう送受信回路と、制御回路とを含む。
【００４７】
うら面には、アンテナ１４４が配置される位置に対応付けて、提示絵柄１３０が設けられる。図２には、略正方形の提示絵柄１３０を示すが、任意の形状を採用できる。例えば、提示絵柄１３０を円形、五角形、六角形、八角形などの形状に構成してもよい。上述したように、提示絵柄１３０は、アルミ層１３２と、アルミ層１３２上に形成された印刷層１３４とからなる。アルミ層１３２については、典型的には、アルミ蒸着によって形成され、印刷層１３４については、アルミ蒸着後に印刷（インクの塗布）によって形成される。印刷層１３４に描かれるマークとしては、トレーディングカード１００を象徴する、あるいは、トレーディングカード１００を製造または販売する者を象徴するマークである、ロゴマークを用いることもできる。
【００４８】
このように、アンテナ１４４の位置を示すマークは、キャラクタ１０２が表記されている面（おもて面）とは異なる面（うら面）に形成された所定形状のアルミ層１３２の一部と、アルミ層１３２の上に形成されたロゴマーク（印刷層１３４に描かれるマークの一部）とを含む。
【００４９】
なお、図３には、ＩＣチップ１４６がおもて面側に配置され、アンテナ１４４がうら面側に配置される構成例を示すが、ＩＣチップ１４６とアンテナ１４４との位置関係は逆であってもよい。（すなわち、うら面側から見てＩＣチップ１４６、アンテナ１４４、緩衝用フィルム１４２の順で配置されてもよい。なお、その場合には、おもて面の内側面上に緩衝用フィルム１４２が配置されることになる。）。但し、後述するように、トレーディングカード１００のおもて面に描かれたキャラクタ１０２を見せつつ、ＮＦＣリーダライタとの間で通信を行なうような使用形態では、アンテナ１４４に入射する電波強度を確保するために、アンテナ１４４はうら面により近くにあってもよい。
【００５０】
また、図３には、アンテナ１４４の略中心位置に対応付けてＩＣチップ１４６が配置されている構成例を示すが、アンテナ１４４とＩＣチップ１４６との面内での位置関係は、適宜設計できる。すなわち、アンテナ１４４に対して、ＩＣチップ１４６を偏心させた位置に配置してもよい。
【００５１】
さらに、ＲＦＩＤインレイ１４０自体も任意の位置に配置できる。図４は、本実施の形態に従うトレーディングカード１００におけるＲＦＩＤインレイ１４０の配置例を示す模式図である。
【００５２】
図４（Ａ）には、アンテナ１４４およびＩＣチップ１４６を含むＲＦＩＤインレイ１４０をトレーディングカード１００の略中央部に配置した例を示す。図４（Ａ）に示す配置例によれば、トレーディングカード１００の略中央部にアンテナ１４４を含むＲＦＩＤインレイ１４０が配置されるので、ユーザがトレーディングカード１００をＮＦＣリーダライタにかざす際に、戸惑う可能性を低減できる。
【００５３】
図４（Ｂ）には、アンテナ１４４およびＩＣチップ１４６を含むＲＦＩＤインレイ１４０をトレーディングカード１００の左右方向において中心であって、上下方向において端側（外側）に配置した例を示す。図４（Ｂ）に示すように、ＲＦＩＤインレイ１４０をトレーディングカード１００の中央部からずらして配置することで、トレーディングカード１００を折り曲げた場合（または、撓ませた場合）の、ＲＦＩＤインレイ１４０に生じる変位（あるいは、応力）をより低減できる。そのため、ＲＦＩＤインレイ１４０が、トレーディングカード１００の変形に伴う、外力によって破損する可能性を低減できる。
【００５４】
図４（Ｃ）には、アンテナ１４４およびＩＣチップ１４６を含むＲＦＩＤインレイ１４０をトレーディングカード１００の左右方向および上下方向のいずれにおいても端側（外側）に配置した例を示す。図４（Ｃ）に示す配置例では、図４（Ｂ）に示す配置例に比較して、トレーディングカード１００の変形に伴ってＲＦＩＤインレイ１４０に生じる外力の大きさを低減できる。そのため、よりＲＦＩＤインレイ１４０が外力によって破損する可能性を低減できる。
【００５５】
図４（Ｂ）および図４（Ｃ）に示すように、ＲＦＩＤインレイ１４０（アンテナ１４４およびＩＣチップ１４６）の破損の可能性を低減する観点からは、トレーディングカード１００の主面の中央部からずれた位置に配置することもあり得る。例えば、アンテナ１４４の全体がトレーディングカード１００の長手方向中心線よりも上方または下方にあってもよい。
【００５６】
［Ｄ．使用形態の一例］
次に、本実施の形態に従うトレーディングカード１００の使用形態の一例について説明する。図５は、本実施の形態に従うトレーディングカード１００の使用形態の一例を示す模式図である。
【００５７】
図５には、携帯型ゲーム装置１をＮＦＣリーダライタとして使用する例を示す。携帯型ゲーム装置１は、２画面を有する折り畳み可能な構成を採用しており、下側のディスプレイ２に非接触通信に用いる電波を送受信するためのアンテナが内蔵されているとする。典型的には、ユーザは、片方の手で携帯型ゲーム装置１を把持しつつ、もう一方の手でトレーディングカード１００を下側のディスプレイ２にかざすことで、トレーディングカード１００と携帯型ゲーム装置１との間で情報の遣り取りが行なわれる。トレーディングカード１００から読み出されたデータを用いて、携帯型ゲーム装置１でのゲーム進行を行なったり、携帯型ゲーム装置１でのゲーム進行に応じて、またはその結果などをトレーディングカード１００に書き込んだりすることができる。
【００５８】
トレーディングカード１００から読み出されたデータは、どのように利用されてもよく、かつ、トレーディングカード１００へ書き込むデータは、どのように取得または生成されてもよい。すなわち、トレーディングカード１００との間で遣り取りされるデータは、携帯型ゲーム装置１で実行される任意の情報処理と関連付けることが可能である。
【００５９】
図５には、説明の便宜上、携帯型ゲーム装置１をＮＦＣリーダライタとして用いる構成について例示したが、非接触通信（ＮＦＣ）が可能な装置であれば、どのような装置を用いてトレーディングカード１００との間でデータを遣り取りしてもよい。
【００６０】
［Ｅ．回路構成］
次に、トレーディングカード１００の主部（第１表面部材１０１および第２表面部材１０３）に内包されているＲＦＩＤインレイ１４０の回路構成について説明する。
【００６１】
図６は、本実施の形態に従うトレーディングカード１００に内包されたＲＦＩＤインレイ１４０の回路構成を示す模式図である。図６を参照して、電子部品であるＲＦＩＤインレイ１４０は、非接触通信に係る無線信号を送受信するためのアンテナ１４４と、アンテナ１４４と電気的に接続されているＩＣチップ１４６とを含む。ＩＣチップ１４６は、送受信回路１４７と、送受信回路１４７と電気的に接続されている制御回路１４８とを含む。制御回路１４８は、記憶部１４９を含む。記憶部１４９は、トレーディングカード１００の主部に表記されているキャラクタ１０２に対応付けられたデータを格納する。制御回路１４８は、非接触通信によって外部装置から受信したデータを記憶部１４９に書き込む回路を含む。
【００６２】
図７は、図６に示す制御回路１４８に内蔵される記憶部１４９のデータ構造の一例を示す模式図である。図７を参照して、記憶部１４９は、共有領域１４９Ａと、書込可能領域１４９Ｂとを含む。共有領域１４９Ａは、さらなるデータの書き込みが制約されている記憶領域であり、書込可能領域１４９Ｂは、当該制約が設けられていない記憶領域である。例えば、共有領域１４９Ａはデータが読み出されるためだけの領域（読出専用領域）であってデータの書き込み（データの上書き）が不可となる制約が設定されており、書込可能領域１４９Ｂでは当該制約が設定されておらず、データの書き込みを行なうことができる。但し、書込可能領域であっても、データの書き込みを行なう前に、書き込まれるデータのフォーマットの適否のチェックや、書き込まれるデータ群の書き込み順が正しいかどうかのチェックといった簡易な確認程度は行われ得る。
【００６３】
共有領域１４９Ａには、キャラクタ１０２に対応付けられたデータである、キャラクタＩＤおよびシリーズＩＤを含む。すなわち、共有領域１４９ＡにはキャラクタＩＤが保存されている。
【００６４】
キャラクタＩＤは、各トレーディングカード１００に描かれているキャラクタ１０２を特定するための識別情報である。キャラクタＩＤは、特定のアプリケーション（例えば、ゲームアプリケーション等）において、キャラクタ１０２をユニークに特定できるように設定される。この場合には、各アプリケーションには、キャラクタＩＤとキャラクタ１０２との対応関係を含んでいる。いずれのアプリケーションの実行中、トレーディングカード１００から何らかのキャラクタＩＤが読み出されると、予め保持している対応関係を参照して、キャラクタＩＤに対応するキャラクタの情報（キャラクタ画像など）を決定する。なお、カードに描かれているのが同一のキャラクタであっても、ポーズや外観等の差異により、別々のキャラクタＩＤを各カードに設定しておき、対応するキャラクタ画像などについてもそれぞれ異なるものを決定することもあり得る。
【００６５】
あるいは、複数のアプリケーションの間において、キャラクタ１０２をユニークに特定できるように設定されるようにしてもよい。この場合には、複数のアプリケーション間で、キャラクタＩＤとキャラクタ１０２との対応関係を共通に保持するようにしておいてもよい。あるいは、ネットワークを利用できる場合には、それぞれのアプリケーションが共通に利用できるサーバにアクセスして、トレーディングカード１００から読み出されたキャラクタＩＤに対応するキャラクタの情報（キャラクタ画像など）を決定する。
【００６６】
シリーズＩＤは、各トレーディングカード１００に描かれているキャラクタ１０２を利用可能なアプリケーションまたは利用可能なアプリケーションのシリーズを示す識別情報の一例である。より具体的には、シリーズＩＤは、各トレーディングカード１００に描かれているキャラクタ１０２が利用可能な１または複数のアプリケーションを特定する識別情報である。利用可能なアプリケーションが１つである場合には、シリーズＩＤは、実質的に、１つのアプリケーションを特定することになる。これに対して、利用可能なアプリケーションが複数である場合には、シリーズＩＤは、利用可能なアプリケーションのシリーズを特定することになる。
【００６７】
キャラクタＩＤおよびシリーズＩＤは、ＮＦＣリーダライタ（本実施の形態においては、携帯型ゲーム装置１）からの通常のコマンドでは、書き込みまたは更新ができないようにプロテクトまたは暗号化されている。すなわち、各トレーディングカード１００に描かれているキャラクタ１０２との対応関係が維持されるように、さらなるデータの書き込みまたは更新が制約されている。
【００６８】
これに対して、書込可能領域１４９Ｂは、トレーディングカード１００に描かれたキャラクタ１０２を用いたアプリケーションが書き込みや更新ができる領域である。書込可能領域１４９Ｂには、アプリケーションによる処理により生成されるデータなどが適宜書き込まれる。なお、複数のアプリケーションが書込可能領域１４９Ｂに対してデータを書き込むと、データの混在による不具合が生じる可能性もあるので、ユーザが特定の操作によって指定した単一のアプリケーションのみが書込可能領域１４９Ｂに対してアクセスできるようにしてもよい。書込可能領域１４９Ｂに対してアクセス可能なアプリケーションは、事後的に変更することもできる。
【００６９】
さらに、制御回路１４８は、ＲＦＩＤインレイ（あるいは、ＩＣチップ１４６）に対してユニークに割り当てられる。再度図６を参照して、制御回路１４８は、シリアル番号１４８ａを内部に格納しており、ＮＦＣリーダライタなどからの指令に応答して、その格納しているシリアル番号１４８ａの値を応答する。すなわち、電子部品であるＲＦＩＤインレイ１４０は、ＲＦＩＤインレイ１４０に固有の識別情報を含む。このような識別情報は各種の認証処理に用いることができる。
【００７０】
［Ｆ．トレーディングカードセットおよび不正な読み取りを防止する機能］
次に、上述したような、本実施の形態に従うトレーディングカード１００の販売形態について説明する。通常、トレーディングカードは、１または複数枚を１つのパッケージに入れて、その表面に描かれた絵柄が見えない状態で販売される。一般的に、トレーディングカードは、その絵柄によって価値が決まるため、購入者は、自分の購入したパッケージにどのような絵柄が描かれたトレーディングカードが入っているのを楽しみにすることができる。
【００７１】
本実施の形態に従うトレーディングカード１００を販売する際には、同一パッケージ内でキャラクタ１０２の重複がないように複数のトレーディングカード１００が選択される。すなわち、本実施の形態に従うトレーディングカードセット（販売時点の状態）は、複数のトレーディングカード１００を含んでおり、複数のトレーディングカード１００の各々には、少なくとも２枚は互いに異なるキャラクタ１０２が表記されている。
【００７２】
上述したように、本実施の形態に従うトレーディングカード１００は、非接触通信機能が実装されており、パッケージに入れて販売されている状態であっても、何らかのＮＦＣリーダライタで格納されている情報を読み出すことができれば、中に入っているトレーディングカード１００のキャラクタを特定できてしまう。また、パッケージに入れて販売されている状態で情報が読み出されてしまった場合、カードを購入しなくてもアプリケーション上で当該情報を利用して遊戯等ができてしまう。このような不正な読み取りを防止するために、パッケージの外部からその内部にあるトレーディングカード１００に対する電波によるアクセスを遮断してもよい。
【００７３】
すなわち、本実施の形態に従うトレーディングカードセットは、少なくとも１つのトレーディングカード１００と、それらの少なくとも１つのトレーディングカード１００をその内部に収納するパッケージ（袋部）とに加えて、パッケージ（袋部）の外部からの電磁波がパッケージ（袋部）の内部に収納されたトレーディングカード１００へ到達することを妨げるシールド機能が付加される。すなわち、シールド機能は、非接触通信に係る電磁波を低減し、パッケージ（袋部）に収納されたトレーディングカード１００に内包された電子部品による非接触通信が行なわれることを妨げる。以下、このようなシールド機能のいくつかの実装例について説明する。
【００７４】
（ｆ１：第１の実装例）
図８は、本実施の形態に従うトレーディングカード１００に対する不正な読み取りを防止する機能の第１の実装例を示す模式図である。図８を参照して、シールド機能の第１の実装例として、複数のトレーディングカード１００の間に、導電性をもつカードを混ぜておく。すなわち、複数のトレーディングカード１００（図８に示す例では、３枚のトレーディングカード１００Ａ〜１００Ｃ）をパッケージ２００に封入したトレーディングカードセットを示す。パッケージ２００は、ピロー状に封印される。
【００７５】
３枚のトレーディングカード１００Ａと１００Ｂの間または１００Ｂと１００Ｃの間に、アルミカード２１０が配置される。すなわち、トレーディングカード１００Ａ〜１００Ｃおよびアルミカード２１０のセット２２０をパッケージ２００に封入した状態で、トレーディングカードセットとして販売してもよい。すなわち、シールド機能を発揮する部材としては、少なくとも１つのトレーディングカード１００の主面の垂直方向に沿って並べて配置され、その表面に導電性部材（例えば、アルミ）が設けられた板状部材（アルミカード２１０）を含む。
【００７６】
アルミカード２１０は、例えば、印刷用紙に対してアルミ蒸着などの手法でアルミ層をその両表面に形成したものである。アルミカード２１０の少なくとも片方の表面全体に亘ってアルミ層を形成してもよい。但し、その表面に任意の電極パターンを形成してもよい。例えば、渦巻き状の電極パターンなどを用いることで、電極パターンに渦電流を発生させ、電磁波がトレーディングカード１００へ到達することをより効率的に防止できる。また、カードの表面全体をアルミ層が覆う必要はなく、アンテナ部周辺のみ等、カード上の一部のみを覆う構成であってもよい。なお、製造コストなどの観点からは、アルミであってもよいが、任意の導電性をもつ材料（例えば、任意の金属）を用いて表面層を形成すればよい。このように、シールド機能を発揮する部材としては、トレーディングカード１００とともにパッケージ（袋部）の内部に収納され、金属層を有するカード（アルミカード２１０）を含む。
【００７７】
例えば、３枚のトレーディングカード１００毎に１枚のアルミカード２１０を配置するようにしてもよい。また、より多くのトレーディングカード１００をパッケージ２００に封入する場合には、２枚以上のアルミカード２１０を所定枚数毎に混ぜ込むことも考えられる。
【００７８】
なお、アルミカード２１０の表面には、トレーディングカード１００の関する説明書のスペースや、トレーディングカード１００またはそれに関連する商品についての説明書や広告のスペースとして用いることができる。
【００７９】
図８に示すセット２２０（トレーディングカード１００Ａ〜１００Ｃおよびアルミカード２１０）においてシールド機能を発揮させるためには、カード間を密着させておく必要がある。そのため、パッケージ２００の内側断面形状は、セット２２０の外側断面形状に対して隙間（マージン）が小さくなるように設計され得る。
【００８０】
（ｆ２：第２の実装例）
図９は、本実施の形態に従うトレーディングカード１００に対する不正な読み取りを防止する機能の第２の実装例を示す模式図である。図１０は、図９に示すパッケージの断面模式図である。
【００８１】
図９および図１０を参照して、パッケージ２５０の内面全体には、シールド機能を発揮するための導電性部材層２５２が形成されている。導電性部材層２５２の外側には、例えば、樹脂などの層が形成されている。なお、シールド機能を発揮するためには、導電性部材層２５２は所定の厚みをもつように形成される。すなわち、本実施の形態に従うパッケージ２５０（袋部）は、シールド手段として、その内面に設けられた金属層を含む。
【００８２】
図９および図１０に示す第２の実装例では、複数のトレーディングカード１００の間を密着させる必要がないので、パッケージ２５０の内側断面形状を複数のトレーディングカード１００の外側断面形状に対して少し余裕をもって形成してもよい。
【００８３】
（ｆ３：第３の実装例）
図１１は、本実施の形態に従うトレーディングカード１００に対する不正な読み取りを防止する機能の第３の実装例を示す模式図である。図３を参照して、３枚のトレーディングカード１００Ａ〜１００Ｃは、セットにされた状態で、導電性を有する網状の袋部２７０に封入されてもよい。この場合には、網状の袋部２７０に封入された３枚のトレーディングカード１００Ａ〜１００Ｃを、さらに非透光性の外袋に封入することになる。
【００８４】
（ｆ４：第４の実装例）
シール状の金属膜を、トレーディングカード１００の全体、またはアンテナ１４４のまわりに直接貼り付けるようにしてもよい。
【００８５】
［Ｇ．製造工程］
次に、本実施の形態に従うトレーディングカード１００の製造工程について説明する。
【００８６】
図１２は、本実施の形態に従うトレーディングカード１００の製造工程の一例を示す模式図である。図１２を参照して、トレーディングカード１００の製造工程は、印刷工程、切断工程、画像認識工程、および、情報書き込み工程を含む。
【００８７】
印刷工程では、典型的には、複数から予め定められた出現確率に従ってランダムに選択された複数の印刷パターンが印刷用紙に印刷される。各印刷パターンは、トレーディングカード１００のおもて面またはうら面のデザインに対応する。すなわち、複数のトレーディングカード１００がランダムに面付けされる。同一のトレーディングカード１００が同一の印刷用紙に対して面付けされないように、排他処理がなされている。なお、面付けされる位置に対応付けて、複数のＲＦＩＤインレイ１４０が規則的に予め配置されている。但し、おもて面およびうら面にそれぞれ対応する一組の印刷済の用紙を用意し、それらの間にＲＦＩＤインレイ１４０を規則的に配置した上で、両者を張り合わせてもよい。
【００８８】
続いて、印刷用紙が所定の大きさに切断されて、トレーディングカード１００が生成される。この状態において、各トレーディングカード１００に内包されるＲＦＩＤインレイ１４０には、何らのデータも書き込まれていないので、おもて面に印字されるキャラクタ特定情報１１２（図１参照）を光学的に読み取って、各トレーディングカード１００に描かれたキャラクタ１０２に関連付けられる情報を書き込む。
【００８９】
具体的には、画像認識工程において、切断後のトレーディングカード１００のおもて面に存在しているキャラクタ特定情報１１２（図１参照）が読み取られ、その値（文字または数値）が認識される。そして、その認識情報に基づいて、対応する識別情報（キャラクタＩＤおよびシリーズＩＤ）が記憶部１４９の共有領域１４９Ａ（図７参照）に書き込まれる（情報書き込み工程）。この情報書き込み工程を経て、本実施の形態に従うトレーディングカード１００が完成する。
【００９０】
この画像認識工程に用いられるキャラクタ特定情報１１２（図１参照）は、各トレーディングカード１００のおもて面に描かれたキャラクタ１０２を特定するための識別情報に加えて、誤認識を防止するための付加情報を含んでもよい。すなわち、キャラクタ１０２に関連付けられる情報の一部であるキャラクタ特定情報１１２は、キャラクタ１０２を特定するための識別情報と、誤認識検知用の情報とを含んでもよい。このような誤認識検知用の情報を含ませることで、描かれたキャラクタ１０２に対応する情報とは異なる情報が誤ってトレーディングカード１００に書き込まれることを防止できる。
【００９１】
［Ｈ．利点］
本実施の形態は、トレーディングカードに新たな観点からの付加価値を与えることができるとともに、トレーディングカードの趣向性を高めることができる。
【００９２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００９３】
１  携帯型ゲーム装置、２  ディスプレイ、１００，１００Ａ〜１００Ｃ  トレーディングカード、１０１，１０１Ａ〜１０１Ｃ  第１表面部材、１０２，１０２Ａ〜１０２Ｃ  キャラクタ、１０３  第２表面部材、１０４Ａ〜１０４Ｃ  キャラクタ名、１０６Ａ〜１０６Ｃ  キャラクタ番号、１０８Ａ〜１０８Ｃ  サイコロ絵柄、１１０Ａ〜１１０Ｃ  ジャンケン絵柄、１１２，１１２Ａ〜１１２Ｃ  キャラクタ特定情報、１２０  光沢加工、１３０  提示絵柄、１３２  アルミ層、１３４  印刷層、１４０  ＲＦＩＤインレイ、１４２  緩衝用フィルム、１４４  アンテナ、１４６  ＩＣチップ、１４７  送受信回路、１４８  制御回路、１４８ａ  シリアル番号、１４９  記憶部、１４９Ａ  共有領域、１４９Ｂ  書込可能領域、２００，２５０  パッケージ、２１０  アルミカード、２２０  セット、２５２  導電性部材層、２７０  袋部。
【図２】
0006054453.tif 000002
【図３】
0006054453.tif 000003
【図４】
0006054453.tif 000004
【図６】
0006054453.tif 000005
【図７】
0006054453.tif 000006
【図９】
0006054453.tif 000007
【図１０】
0006054453.tif 000008
【図１１】
0006054453.tif 000009
【図１２】
0006054453.tif 000010
【図１】
0006054453.tif 000011
【図５】
0006054453.tif 000012
【図８】
0006054453.tif 000013